(57)【特許請求の範囲】
【請求項１】
ＯＦＤＭ信号を周波数スペクトル信号に変換するフーリエ変換部と、
前記フーリエ変換部から出力されたサブキャリア成分からパイロット信号を抽出するパイロット抽出部と、
前記パイロット信号に対応する既知信号を発生する送信パイロット発生部と、
前記パイロット抽出部により抽出された前記パイロット信号を前記送信パイロット信号で除算することにより、前記パイロット信号の伝送に用いたサブキャリアに対する伝送路特性を算出する除算部と、
前記除算部により算出された前記パイロット信号の前記伝送路特性に対して、時間方向に内挿を行なって伝送路特性を生成する時間内挿フィルタ部と、
前記時間内挿フィルタ部から出力される伝送路特性に対して周波数方向に内挿を行なう周波数内挿フィルタ部と、
前記除算部により算出された前記パイロット信号の前記伝送路特性に基づいて遅延プロファイルを推定する遅延プロファイル推定部と、
前記遅延プロファイル推定部で推定された前記遅延プロファイルに基づいて前記周波数内挿フィルタ部の通過帯域を設定する通過帯域設定部とを備え、
前記通過帯域設定部は、
遅延到来波が現れる得る遅延時間範囲を、複数の区間に分け、該複数の区間の各々について到来波の電力積分値を求め、前記複数の区間のうちの前記電力積分値が比較的大きい区間の集合に対応する帯域を前記周波数内挿フィルタ部の通過帯域と決定するものであり、
該複数の区間を第１の組と第２の組に分割し、該分割を、前記第１の組に属する区間の前記積分値の最大のものが、前記第２の組に属する区間の前記積分値の最小のものよりも小さくなるように、かつ、前記第１の組に属するすべての区間の前記電力積分値の総和の、前記第２の組に属するすべての区間の前記電力積分値の総和に対する比が、所定値以下の範囲内であって、かつ可能な限り大きいという条件が満たされるように行い、
このようにして分割された第２の組に属する区間の集合に対応する帯域を通過帯域として決定し、
前記通過帯域設定部は、
前記複数の区間のうちで前記電力積分値の最も小さいものを仮に前記第１の組に属するものとし、それ以外の区間を仮に前記第２の組に属するものとし、
前記比が前記所定値以下であるとの判断される度に、前記第２の組の前記区間のうちの電力積分値が最小のものを前記第１の組に移す処理を、前記比が前記所定値よりも大きいという判断がされるまで繰り返し、
前記比が前記所定値よりも大きいという判断がされたときに、直前に前記第２の組から前記第１の組に移した区間を前記第２の組に戻し、
戻した状態において前記第２の組に属する区間の集合に対応する帯域を通過帯域として決定する
ことを特徴とするＯＦＤＭ復調装置。
【請求項２】
ＯＦＤＭ信号を周波数スペクトル信号に変換するフーリエ変換部と、
前記フーリエ変換部から出力されたサブキャリア成分からパイロット信号を抽出するパイロット抽出部と、
前記パイロット信号に対応する既知信号を発生する送信パイロット発生部と、
前記パイロット抽出部により抽出された前記パイロット信号を前記送信パイロット信号で除算することにより、前記パイロット信号の伝送に用いたサブキャリアに対する伝送路特性を算出する除算部と、
前記除算部により算出された前記パイロット信号の前記伝送路特性に対して、時間方向に内挿を行なって伝送路特性を生成する時間内挿フィルタ部と、
前記時間内挿フィルタ部から出力される伝送路特性に対して周波数方向に内挿を行なう周波数内挿フィルタ部と、
前記除算部により算出された前記パイロット信号の前記伝送路特性に基づいて遅延プロファイルを推定する遅延プロファイル推定部と、
前記遅延プロファイル推定部で推定された前記遅延プロファイルに基づいて前記周波数内挿フィルタ部の通過帯域を設定する通過帯域設定部とを備え、
前記通過帯域設定部は、
遅延到来波が現れる得る遅延時間範囲を、複数の区間に分け、該複数の区間の各々について到来波の電力積分値を求め、前記複数の区間のうちの前記電力積分値が比較的大きい区間の集合に対応する帯域を前記周波数内挿フィルタ部の通過帯域と決定するものであり、
該複数の区間を第１の組と第２の組に分割し、該分割を、前記第１の組に属する区間の前記積分値の最大のものが、前記第２の組に属する区間の前記積分値の最小のものよりも小さくなるように、かつ、前記第１の組に属するすべての区間の前記電力積分値の総和の、前記遅延到来波が現れる得る遅延時間範囲内のすべての区間の前記電力積分値の総和に対する比が、所定値以下の範囲内であって、かつ可能な限り大きいという条件が満たされるように行い、
このようにして分割された第２の組に属する区間の集合に対応する帯域を通過帯域として決定し、
前記通過帯域設定部は、
前記複数の区間のうちで前記電力積分値の最も小さいものを仮に前記第１の組に属するものとし、それ以外の区間を仮に前記第２の組に属するものとし、
前記比が前記所定値以下であるとの判断される度に、前記第２の組の前記区間のうちの電力積分値が最小のものを前記第１の組に移す処理を、前記比が前記所定値よりも大きいという判断がされるまで繰り返し、
前記比が前記所定値よりも大きいという判断がされたときに、直前に前記第２の組から前記第１の組に移した区間を前記第２の組に戻し、
戻した状態において前記第２の組に属する区間の集合に対応する帯域を通過帯域として決定する
ことを特徴とするＯＦＤＭ復調装置。
【請求項３】
ＯＦＤＭ信号を周波数スペクトル信号に変換するフーリエ変換部と、
前記フーリエ変換部から出力されたサブキャリア成分からパイロット信号を抽出するパイロット抽出部と、
前記パイロット信号に対応する既知信号を発生する送信パイロット発生部と、
前記パイロット抽出部により抽出された前記パイロット信号を前記送信パイロット信号で除算することにより、前記パイロット信号の伝送に用いたサブキャリアに対する伝送路特性を算出する除算部と、
前記除算部により算出された前記パイロット信号の前記伝送路特性に対して、時間方向に内挿を行なって伝送路特性を生成する時間内挿フィルタ部と、
前記時間内挿フィルタ部から出力される伝送路特性に対して周波数方向に内挿を行なう周波数内挿フィルタ部と、
前記除算部により算出された前記パイロット信号の前記伝送路特性に基づいて遅延プロファイルを推定する遅延プロファイル推定部と、
前記遅延プロファイル推定部で推定された前記遅延プロファイルに基づいて前記周波数内挿フィルタ部の通過帯域を設定する通過帯域設定部とを備え、
前記通過帯域設定部は、
遅延到来波が現れる得る遅延時間範囲を、複数の区間に分け、該複数の区間の各々について到来波の電力積分値を求め、前記複数の区間のうちの前記電力積分値が比較的大きい区間の集合に対応する帯域を前記周波数内挿フィルタ部の通過帯域と決定するものであり、
該複数の区間を第１の組と第２の組に分割し、該分割を、前記第１の組に属する区間の前記積分値の最大のものが、前記第２の組に属する区間の前記積分値の最小のものよりも小さくなるように、かつ、前記第１の組に属するすべての区間の前記電力積分値の総和の、前記第２の組に属するすべての区間の前記電力積分値の総和に対する比が、所定値以下の範囲内であって、かつ可能な限り大きいという条件が満たされるように行い、
このようにして分割された第２の組に属する区間の集合に対応する帯域を通過帯域として決定し、
前記通過帯域設定部は、
前記複数の区間のうちで前記電力積分値の最も大きいものを仮に前記第２の組に属するものとし、それ以外の区間を仮に前記第１の組に属するものとし、
前記比が前記所定値よりも大きいとの判断される度に、前記第１の組の前記区間のうちの電力積分値が最大のものを前記第２の組に移す処理を、前記比が前記所定値以下であるという判断がされるまで繰り返し、
前記比が前記所定値以下であるという判断がされたときに、前記第２の組に属する区間の集合に対応する帯域を通過帯域として決定する
ことを特徴とするＯＦＤＭ復調装置。
【請求項４】
ＯＦＤＭ信号を周波数スペクトル信号に変換するフーリエ変換部と、
前記フーリエ変換部から出力されたサブキャリア成分からパイロット信号を抽出するパイロット抽出部と、
前記パイロット信号に対応する既知信号を発生する送信パイロット発生部と、
前記パイロット抽出部により抽出された前記パイロット信号を前記送信パイロット信号で除算することにより、前記パイロット信号の伝送に用いたサブキャリアに対する伝送路特性を算出する除算部と、
前記除算部により算出された前記パイロット信号の前記伝送路特性に対して、時間方向に内挿を行なって伝送路特性を生成する時間内挿フィルタ部と、
前記時間内挿フィルタ部から出力される伝送路特性に対して周波数方向に内挿を行なう周波数内挿フィルタ部と、
前記除算部により算出された前記パイロット信号の前記伝送路特性に基づいて遅延プロファイルを推定する遅延プロファイル推定部と、
前記遅延プロファイル推定部で推定された前記遅延プロファイルに基づいて前記周波数内挿フィルタ部の通過帯域を設定する通過帯域設定部とを備え、
前記通過帯域設定部は、
遅延到来波が現れる得る遅延時間範囲を、複数の区間に分け、該複数の区間の各々について到来波の電力積分値を求め、前記複数の区間のうちの前記電力積分値が比較的大きい区間の集合に対応する帯域を前記周波数内挿フィルタ部の通過帯域と決定するものであり、
該複数の区間を第１の組と第２の組に分割し、該分割を、前記第１の組に属する区間の前記積分値の最大のものが、前記第２の組に属する区間の前記積分値の最小のものよりも小さくなるように、かつ、前記第１の組に属するすべての区間の前記電力積分値の総和の、前記遅延到来波が現れる得る遅延時間範囲内のすべての区間の前記電力積分値の総和に対する比が、所定値以下の範囲内であって、かつ可能な限り大きいという条件が満たされるように行い、
このようにして分割された第２の組に属する区間の集合に対応する帯域を通過帯域として決定し、
前記通過帯域設定部は、
前記複数の区間のうちで前記電力積分値の最も大きいものを仮に前記第２の組に属するものとし、それ以外の区間を仮に前記第１の組に属するものとし、
前記比が前記所定値よりも大きいとの判断される度に、前記第１の組の前記区間のうちの電力積分値が最大のものを前記第２の組に移す処理を、前記比が前記所定値以下であるという判断がされるまで繰り返し、
前記比が前記所定値以下であるという判断がされたときに、前記第２の組に属する区間の集合に対応する帯域を通過帯域として決定する
ことを特徴とするＯＦＤＭ復調装置。
【請求項５】
前記周波数内挿フィルタ部が、
ＬＰＦと、ＢＰＦと、複数の係数を含むＬＰＦ用係数テーブルと、複数の係数を含むＢＰＦ用係数テーブルとを有し、
前記決定された通過帯域を表す信号に応じて、前記ＬＰＦ用係数テーブルに含まれる複数の係数のうちの、前記通過帯域に対応するもの及び前記ＢＰＦ用係数テーブルに含まれる複数の係数のうちの、前記通過帯域に対応するものを選択することを特徴とする請求項１乃至４のいずれかに記載のＯＦＤＭ復調装置。
【請求項６】
前記遅延プロファイル推定部は、複数回の推定により得られた遅延プロファイルを平均し、該平均化された遅延プロファイルを出力し、前記積分値算出部が前記平均化された遅延プロファイルに基づいて前記電力積分値を求めることを特徴とする請求項１乃至５のいずれかに記載のＯＦＤＭ復調装置。
【発明の詳細な説明】
【技術分野】
【０００１】
この発明は、ＯＦＤＭ(直交周波数分割多重)変調方式により変調されて伝送された信号を復調する復調装置に関するものである。
【背景技術】
【０００２】
ＩＳＤＢ−Ｔ、ＤＶＢ−Ｔ等の地上デジタル放送方式では、基準パイロット信号の一つであるＳＰ(Ｓｃａｔｔｅｒｅｄ  Ｐｉｌｏｔ)信号が、サブキャリア方向に１２キャリア毎に１回、シンボル方向に４シンボル毎に１回挿入される。ＳＰ信号は、送信局側から送信する際に規格でその内容が決められており、振幅及び位相が判っていると言う点で、「既知信号」である。ここで、ＯＦＤＭ変調方式を用いた地上デジタル放送では、送信局より出射されたサブキャリアの内で、受信機のアンテナに直接受信されるサブキャリアに加えて、建物或いは山々によって反射された後に受信機のアンテナで受信される様々な遅延波も存在するため、これらの遅延波が直接波に干渉する結果、データ等が載せられた各サブキャリアは、伝送路を経由することで歪むこととなる。そこで、ＳＰ信号が以上の様に既知信号である点を利用して、受信したＳＰ信号のサブキャリアが伝送路でどの様に歪んだかを推定する、即ち、伝送路特性の推定が行われる。受信機は、データを載せたサブキャリアの伝送路特性を、ＳＰ信号の伝送路特性を内挿することによって求め、得られた伝送路特性の推定結果を用いて等化処理を行う。一般に伝送路特性の推定方法では、シンボル方向の内挿処理後にキャリア方向の内挿処理を行って伝送路特性を推定している。このとき、キャリア方向の内挿処理では、受信したＯＦＤＭ信号中の遅延波成分における最大遅延時間を別途算出し、算出結果における最大遅延時間を考慮し、適正な通過帯域のフィルタで周波数方向へのフィルタリングを行い、不要な雑音成分の除去を行っている。このときの遅延波の検出においては、予め決められた閾値よりも大きな電力値をもつものを検出するようにしている。
【先行技術文献】
【特許文献】
【０００３】
【特許文献１】特許第３６５４６４６号公報（段落００２９）
【特許文献２】特開平１０−２５７０１３号公報（段落００７１）
【特許文献３】特開平１１−１７６４２号公報（段落００５５〜００５７）
【発明の概要】
【発明が解決しようとする課題】
【０００４】
従来の方法では、電力値の比較的小さな反射波が多数到来する、例えば山岳地域のような受信環境において、これらの反射波組が周波数内挿フィルタ帯域外に存在し、なおかつ予め決められた閾値電力より小さい場合には雑音成分として除去されてしまう。この結果、伝送路の推定結果がこれら多数の反射波の影響を無視したものとなり、推定した伝送路特性をもとに等化した結果は劣化する。
【課題を解決するための手段】
【０００５】
この発明は、上述のような課題を解消するためになされたもので、本発明のＯＦＤＭ復調装置は、
ＯＦＤＭ信号を周波数スペクトル信号に変換するフーリエ変換部と、
前記フーリエ変換部から出力されたサブキャリア成分からパイロット信号を抽出するパイロット抽出部と、
前記パイロット信号に対応する既知信号を発生する送信パイロット発生部と、
前記パイロット抽出部により抽出された前記パイロット信号を前記送信パイロット信号で除算することにより、前記パイロット信号の伝送に用いたサブキャリアに対する伝送路特性を算出する除算部と、
前記除算部により算出された前記パイロット信号の前記伝送路特性に対して、時間方向に内挿を行なって伝送路特性を生成する時間内挿フィルタ部と、
前記時間内挿フィルタ部から出力される伝送路特性に対して周波数方向に内挿を行なう周波数内挿フィルタ部と、
前記除算部により算出された前記パイロット信号の前記伝送路特性に基づいて遅延プロファイルを推定する遅延プロファイル推定部と、
前記遅延プロファイル推定部で推定された前記遅延プロファイルに基づいて前記周波数内挿フィルタ部の通過帯域を設定する通過帯域設定部とを備え、
前記通過帯域設定部は、
遅延到来波が現れる得る遅延時間範囲を、複数の区間に分け、該複数の区間の各々について到来波の電力積分値を求め、前記複数の区間のうちの前記電力積分値が比較的大きい区間の集合に対応する帯域を前記周波数内挿フィルタ部の通過帯域と決定するものであり、
該複数の区間を第１の組と第２の組に分割し、該分割を、前記第１の組に属する区間の前記積分値の最大のものが、前記第２の組に属する区間の前記積分値の最小のものよりも小さくなるように、かつ、前記第１の組に属するすべての区間の前記電力積分値の総和の、前記第２の組に属するすべての区間の前記電力積分値の総和に対する比が、所定値以下の範囲内であって、かつ可能な限り大きいという条件が満たされるように行い、
このようにして分割された第２の組に属する区間の集合に対応する帯域を通過帯域として決定し、
前記通過帯域設定部は、
前記複数の区間のうちで前記電力積分値の最も小さいものを仮に前記第１の組に属するものとし、それ以外の区間を仮に前記第２の組に属するものとし、
前記比が前記所定値以下であるとの判断される度に、前記第２の組の前記区間のうちの電力積分値が最小のものを前記第１の組に移す処理を、前記比が前記所定値よりも大きいという判断がされるまで繰り返し、
前記比が前記所定値よりも大きいという判断がされたときに、直前に前記第２の組から前記第１の組に移した区間を前記第２の組に戻し、
戻した状態において前記第２の組に属する区間の集合に対応する帯域を通過帯域として決定する
ことを特徴とする。
【発明の効果】
【０００６】
本発明によれば、電力の小さな到来波が多数存在するような電波環境において、精度良く伝送路特性を推定することができる。
【図面の簡単な説明】
【０００７】
【図１】本発明の実施の形態１におけるＯＦＤＭ復調装置の構成を示すブロック図である。
【図２】実施の形態１における伝送路推定部１０４の構成例を示すブロック図である。
【図３】図２の周波数内挿フィルタ部７の構成例を示す図である。
【図４】実施の形態１のＯＦＤＭ復調装置において受信されるＯＦＤＭ信号のパイロット信号の配列を示す図である。
【図５】（ａ）乃至（ｃ）は、図２の遅延プロファイル推定部５で求められる遅延プロファイルと周波数内挿フィルタの関係を示す図である。
【図６】実施の形態１における到来波の電力の積分範囲の定め方を示す図である。
【図７】実施の形態１における帯域設定処理の一例を示すフローチャートである。
【図８】本発明の実施の形態２における伝送路推定部１０４の構成例を示す図である。
【図９】図８の周波数内挿フィルタ部８の構成例を示す図である。
【図１０】実施の形態２における到来波の電力の積分範囲の定め方を示す図である。
【図１１】実施の形態２における帯域設定処理の一例を示すフローチャートである。
【図１２】実施の形態２における帯域設定処理の他の例を示すフローチャートである。
【発明を実施するための形態】
【０００８】
以下本発明の実施の形態を、図面を用いて説明する。
【０００９】
実施の形態１．
図１は、この発明の実施の形態１のＯＦＤＭ復調装置の構成を示す図である。図１において、１００は放送電波を受信する受信アンテナ、１０１はチューナ、１０２はアナログ信号をデジタル信号に変換するＡ／Ｄ変換回路、１０３は直交復調部であり、その出力側にＩ軸信号とＱ軸信号の複素ベースバンド信号が得られる。１０４は時間信号を周波数信号に変換するためのフーリエ変換部であり、例えばＦＦＴ（高速フーリエ変換回路で構成されている）。１０６は伝送路の周波数特性を推定する伝送路推定部であり、１０５は伝送路推定部１０６の推定結果をもとに等化を行う等化部である。
【００１０】
図２は、この発明の実施の形態１の伝送路推定部１０６の一例を示すブロック図である。図２に示される伝送路推定部１０６は、フーリエ変換部１０４から出力されたサブキャリア成分からＳＰ（スキャタード・パイロット）信号を抽出するパイロット抽出部１と、前記パイロット信号に対応する既知信号（送信パイロット信号）を発生させる送信パイロット発生部２と、パイロット抽出部１で抽出したＳＰ信号を送信パイロット発生部２で生成したＳＰ信号で除算することにより、パイロット信号の伝送に用いたサブキャリアに対する伝送路特性（ＳＰ信号に対する伝送路特性）を求める複素除算部３とを有する。
【００１１】
図２に示される伝送路推定部１０６はさらに、複素除算部３により算出されたＳＰ信号の伝送路特性に対して、時間方向に内挿を行なう時間内挿フィルタ部４と、時間内挿フィルタ部４から出力されるサブキャリア周波数成分の各々に対応する伝送路特性に基づいて、遅延波の遅延時間や電力を算出し、これにより、遅延プロファイルを求める遅延プロファイル推定部５と、遅延プロファイル推定部５で求められた前記遅延プロファイルに基づいて周波数内挿フィルタ部７の通過帯域（周波数内挿するためのフィルタの通過帯域）を設定する通過帯域設定部６と、時間内挿フィルタ部４から出力される伝送路特性に対して周波数方向（キャリア方向）に内挿を行なう周波数内挿フィルタ部７とを有する。
【００１２】
通過帯域設定部６は、積分値算出部１０と、遅延波検出部１１と、積分値比較部１２と、帯域判定部１３とを有する。
積分値算出部１０は遅延プロファイルを受け、後述のようにして定められ、変更される積分範囲についての電力の積分値を求める。
遅延波検出部１１は、所定の閾値ＴＨｐ以上の遅延波を検出する。
積分値比較部１２は積分値算出部１０で求められた２つの積分値同士を比較する。
帯域判定部１３は積分値比較部１２の比較結果をもとに周波数内挿フィルタ部７の通過帯域を指定する信号ＣＰＢを生成する。
【００１３】
図３は、この発明の実施の形態１の周波数内挿フィルタ部７の詳細ブロック図である。図３に示される周波数内挿フィルタ部７は、後述のようにして設定される通過帯域の周波数成分を通過させるＬＰＦ（ローパスフィルタ）２０と、ＬＰＦ２０のタップ係数をテーブルとして複数用意した係数テーブル２１とを有する。係数テーブル２１に記憶された複数のタップ係数のうちいずれが選択されてＬＰＦ２０に供給されるかに応じてＬＰＦ２０の通過帯域が変わる。
係数テーブル２１に記憶された複数のタップ係数のうち、通過帯域設定部６から供給された通過帯域指定信号ＣＰＢで指定された通過帯域を実現するためのタップ係数が選択されてＬＰＦ２０に供給される。
【００１４】
周波数内挿フィルタ部７のフィルタ特性としては、到来波が通過する通過帯域があれば十分であり、通過帯域が不必要に広い場合、不要な雑音成分もフィルタを通過してしまうため、復調の性能が低下してしまう。このような復調性能の低下を避けるためには、周波数内挿フィルタ部７の通過帯域を必要最小限にする必要がある。本発明は、周波数内挿フィルタ部７の通過帯域を定めるための新たな方法を用いることを特徴とする。通過帯域の設定は、本実施の形態では、係数テーブル２１の選択により行われる。以下では、係数テーブル２１の選択の方法について詳しく説明する。
【００１５】
まず、本実施の形態１おけるＯＦＤＭ復調装置について説明する。
ＯＦＤＭ変調された無線信号（ＯＦＤＭ変調信号）を受信アンテナ１００で受信し、チューナ１０１によってＲＦ周波数の信号を中間周波数帯の信号に変換する。中間周波数信号（ＩＦ）をＡ／Ｄ変換回路１０２によってデジタル信号に変換し、デジタル信号となったＩＦ信号は、直交復調部１０３によってベースバンド信号であるＩ軸信号とＱ軸信号に分離される。さらに、フーリエ変換部１０４により、時間信号であるＩ軸信号とＱ軸信号とを周波数成分に変換し、この結果１シンボル内における全サブキャリアの複素データを得ることができる。
【００１６】
周波数成分に変換した信号においては、日本の地上波デジタル放送方式ＩＳＤＢ−Ｔでは、図４に示すようにＳＰ信号が配置されている。図４において、横方向は周波数方向、縦方向は時間方向を示し、ハッチングを施した丸印がパイロット信号、白抜きの丸印がパイロット信号以外のサブキャリア成分をそれぞれ示している。また、破線で囲み、「ｉ番目のシンボル」と記した部分は一つのシンボル（ｉ番目のシンボル）を構成しているサブキャリアを指し、実線で囲み、「ｋ番目のサブキャリア」と記した部分は各シンボルのなかのｋ番目のサブキャリアを指す。
【００１７】
図４に示すようにＳＰ信号は周波数方向において１２サブキャリア毎に、時間方向において４シンボル毎に挿入されている。従って、このパイロット信号によって得られる伝送路特性から全キャリアに対する伝送路特性を算出するには、時間方向と周波数方向の内挿処理が必要である。
【００１８】
伝送路推定部１０６のパイロット抽出部１は、周波数軸に変換された複素データのうちＳＰ信号以外に対し０値を挿入し、ＳＰ信号だけを抽出する。
複素除算部３において、パイロット抽出部１で抽出されたＳＰ信号を送信パイロット発生部２で生成されたＳＰ信号で除算し、ＳＰ信号の伝送に用いたサブキャリアの伝送路特性を算出する。ここで、受信されるＳＰ信号をＹ、送信パイロット発生部２で生成された既知信号であるＳＰ信号をＲ、伝送路特性をＨ、雑音をＮとすると受信信号Ｙは式（１）で表される。
Ｙ  =  Ｈ・Ｒ＋Ｎ      （１）
【００１９】
従って、伝送路特性の推定は式（２）によって行なわれる。
Ｈ  =  Ｙ/Ｒ−Ｎ/Ｒ      （２）
【００２０】
さらに、雑音Ｎが小さいとした場合、
Ｈ=Ｙ／Ｒ
として推定することができる。このとき算出される伝送路特性ＨはＳＰ信号の伝送で用いられたサブキャリアについてのものであり、データ信号のサブキャリアは伝送路特性が未知であるため、時間内挿フィルタと周波数内挿フィルタによる内挿処理によって補間して伝送路特性を求めることになる。このようにして補間して求められた伝送路特性の推定結果をもとにデータ信号を等化する。
【００２１】
はじめに時間方向に伝送路特性を内挿し、時間内挿結果をもとに遅延プロファイル推定部５が遅延プロファイルを出力する。即ち、時間内挿フィルタ部４において、除算部３により算出されたパイロット信号の伝送路特性に対して、時間方向に内挿を行なってすべてのシンボルについての伝送路特性を生成し、遅延プロファイル推定部５において、時間内挿フィルタ部４から出力される前記伝送路特性に基づいてすべてのサブキャリアについての遅延プロファイルを推定する。このとき図５（ａ）のような推定結果が得られたとする。横軸は遅延時間、縦軸は電力を示す。
【００２２】
図５（ａ）は、遅延波のない場合を示している。
周波数内挿フィルタ部７の帯域幅は予め、到来波の遅延時間範囲に対応して複数の段階的乃至離散的な値のいずれかを取るように決めてある。
図５（ａ）に示す例では、遅延時間０〜τ０の範囲ＤＲ０に対応する帯域を通過帯域とするフィルタ、遅延時間０〜τ１の範囲ＤＲ１に対応する帯域を通過帯域とするフィルタ、遅延時間０〜τ２の範囲ＤＲ２に対応する帯域を通過帯域とするフィルタ、遅延時間０〜τ３の範囲ＤＲ３に対応する帯域を通過帯域とするフィルタ、遅延時間０〜τ４の範囲ＤＲ４に対応する帯域を通過帯域とするフィルタと全部で５つの互いに異なる(通過帯域)をもつフィルタとして作用することができるように構成されたものであり、検出された遅延時間範囲に応じて、５つのフィルタのいずれかとして作用すべきかが選択される。どのフィルタとして作用すべきはフィルタ係数の選択により行われる。
【００２３】
図５（ｂ）に示すように、ある閾値ＴＨｐよりも大きい電力をもつ遅延波を検出したとすると、従来の方法であれば、検出した遅延波の遅延時間τａを含む範囲に対応する帯域幅のフィルタを選択し、雑音成分を取り除いている。
ところがこのような方法では、図５（ｃ）に斜線で示すように、電力が閾値ＴＨｐ以下の、多数の遅延波が存在する場合には、これらの成分も除去されてしまい、結果的に誤った伝送路推定を行ってしまう。
仮に、閾値ＴＨｐを下げることによって斜線部分の遅延波成分を拾い上げることとすると、不必要なまでに広い帯域のフィルタを選択してしまい、雑音成分も誤って遅延波として検出して可能性が生じる。
【００２４】
このような問題を解決するため、本実施の形態１では、到来波電力の遅延時間方向の積分値に基づいて、遅延波を含む範囲と、雑音成分しか含まない範囲との判別を行なう。即ち、遅延時間ゼロからある遅延時間（境界候補時間）までの範囲における上記積分値と、該境界候補時間を超える範囲における上記積分値とを比較し、後者の前者に対する比が所定値（所定の閾値）以下であって、かつ最大となるように、上記境界候補時間を境界時間と決定し、該境界時間以下の範囲に対応する帯域を通過帯域と決定する。具体的には、境界候補時間を次第に長くしながら、上記比が上記所定以下となる時間を探し、見つけられた時間を境界時間として決定し、該境界時間までの範囲に対応する帯域を通過帯域と決定する。
【００２５】
境界候補時間をゼロから次第に増加させても良いが、例えば所定の閾値ＴＨｐ以上の遅延波を検出した場合には、その遅延波の遅延時間τａ、又はそれよりも長い遅延時間（例えば予め離散的に定められた複数の遅延時間の一つ）を探索開始点としても良い。
【００２６】
以下では、到来波が現われ得る範囲（遅延が到来する可能性が無視できない程度に存在する範囲）を解析対象とし、予め複数の区間に分割し、分割点の一つを初期境界候補時間（境界候補時間の初期値）とする場合について説明する。例えば、図６に示すように、遅延時間のうち、遅延波が到来する可能性が無視できない程度に存在する範囲の上限をτ４とし、遅延時間０から上限値τ４までを５つの区間Ｓｑ（ｑ＝０〜４）に分割する。区間を表す符号Ｓｑの添え字ｑは遅延時間０の側から順に付されたものであり、区間の番号とも呼ばれる。区間相互の分割点が符号τ０、τ１、τ２、τ３で示されている。区間Ｓ０〜Ｓ４の各々の幅は互いに等しくても良いが、互いに異なっていても良く、例えば、遅延時間の短い側ほど、区間の幅を狭くしても良い。
【００２７】
以下に、詳しく述べるように、分割点τ０〜τ３のいずれかが境界候補時間として用いられる。そして、所定の閾値ＴＨｐ以上の遅延波が検出されたときには、該遅延波の遅延時間を含む区間の上限側の分割点（該区間の上限側端部）を境界時間探索の開始点とする。
【００２８】
図６では、閾値ＴＨｐ以上の遅延波が検出され、該遅延波の遅延時間がτａであり、遅延時間τａを含む区間Ｓ１の上限側の分割点τ１を探索開始点（最初の境界候補時間）とする場合を示す。
【００２９】
この場合、最初に、区間Ｓ１の上限側の分割点τ１を境界候補時間τｘとして、０〜τ１の範囲（区間Ｓ０、Ｓ１から成る範囲）の電力の積分値（第１の積分値）と、τ１〜τ４の範囲（区間Ｓ２、Ｓ３、Ｓ４から成る範囲）の電力の積分値（第２の積分値）を積分値算出部１０によって求め、求めた第１及び第２の積分値を積分値比較部２１で比較する。即ち、第１を積分値に対する第２の積分値の比（積分比）を求め、該積分比が所定値よりも大きいかどうかの判定を行う。即ち、上記第１の積分値をＡ、上記第２の積分値をＢ、上記積分比をＲＴｂａとした場合、
ＲＴｂａ＝Ｂ／Ａ      （３）
を求め、該積分比ＲＴｂａが所定値ＴＨｂａよりも大きいかどうかの判定を行う。
【００３０】
積分比ＲＴｂａが所定値ＴＨｂａよりも大きい、即ち、
ＲＴｂａ＝Ｂ／Ａ＞ＴＨｂａ
である場合には、上記の積分値の算出に用いた境界候補時間（τｘ＝τ１）より長い遅延時間の区間（Ｓ２、Ｓ３、Ｓ４）に多数の遅延波が存在することを意味する。
【００３１】
この場合、帯域判定部１３は境界候補時間τｘを変更する（従って積分範囲を変更する）指示を積分値算出部１０へ出す。具体的には、τ１よりも一段階大きい分割点（τ１を下限側端部とする区間Ｓ２の上限側端部）であるτ２を境界候補時間τｘとして選択するよう指示する。これに応じて、積分値算出部１０では、０〜τ２の範囲（区間Ｓ０、Ｓ１、Ｓ２から成る範囲）の積分値を新たな第１の積分値Ａとして求め、τ２〜τ４の範囲（区間Ｓ３、Ｓ４から成る範囲）の積分値を新たな第２の積分値Ｂとして求め、第１の積分値Ａに対する第２の積分値Ｂの比（積分比）ＲＴｂａが所定値ＴＨｂａよりも大きいかどうかの判定を行う。
【００３２】
このときも、積分比が所定値ＴＨｂａより大きい（ＲＴｂａ＝Ｂ／Ａ＞ＴＨｂａである）と判断した場合、帯域判定部１３は、境界候補時間τｘを変更する（従って積分範囲を変更する）指示を積分値算出部１０へ出す。具体的には、τ２よりも一段階大きい分割点（τ２を下限側端部とする区間Ｓ３の上限側端部）であるτ３を境界候補時間τｘとして選択するよう指示する。これに応じて、積分値算出部１０では、０〜τ３の範囲（区間Ｓ０、Ｓ１、Ｓ２、Ｓ３から成る範囲）の積分値を新たな第１の積分値Ａとして求め、τ３〜τ４の範囲（区間Ｓ４から成る範囲）の積分値を新たな第２の積分値Ｂとして求め、第１の積分値Ａに対する第２の積分値Ｂの比（積分比）ＲＴｂａが所定値ＴＨｂａよりも大きいかどうかの判定を行う。
【００３３】
このとき、積分比が所定値ＴＨｂａ以下であると判断した場合、帯域判定部１３は、このときの境界候補時間τｘ＝τ３を境界時間τｃとして決定し、境界時間τｃ以下の範囲（区間Ｓ０、Ｓ１、Ｓ２、Ｓ３から成る範囲）に対応する周波数帯域を通過帯域とすることを決定し、該決定結果を示す信号（通過帯域指定信号）ＣＰＢを周波数内挿フィルタ部７に供給する。
【００３４】
周波数内挿フィルタ部７では、帯域判定部１３からの通過帯域指定信号ＣＰＢで指定される通過帯域を実現するためのタップ係数を選択するよう周波数内挿フィルタ部７に帯域判定部１３が選択信号ＣＰＢを出力する。
【００３５】
以上のように、上記の実施の形態では、境界候補時間を次第に長くしたとき、積分比ＲＴｂａが所定値ＴＨｂａよりも小さくなる境界時間を探し出し、ＬＰＦ１０のフィルタの帯域幅（通過帯域）を決定する。
【００３６】
なお、上記のように、境界候補時間τｘを次第に移動させながら、それぞれの積分範囲における積分値を求める方法として、境界候補時間τｘが変更される度に、それぞれの積分範囲にわたる積分を行っても良いが、区間Ｓ０〜Ｓ４の各々について積分値を求めて記憶しておき、積分範囲が変更される度に変更後の積分範囲に属する区間の積分値の総和を求めて、これを当該積分範囲の積分値としても用いても良い。この場合、変更により追加された区間の積分値を変更前の積分範囲の積分値の総和に加算し、或いは変更により削減された区間の積分値を変更前の積分範囲の積分値の総和から減算することで、変更後の積分範囲の積分値の総和を求めても良い。
なお、「総和」といっても複数の積分値の和とは限らず、積分範囲に含まれる区間が１個であり、従って単一の積分値自体が「総和」となることもある。
【００３７】
以上の動作をより一般化した形で図７のフローチャートを用いて説明する。以下の説明では、区間ごとの積分値を求めて記憶しておき、積分範囲が変わる度に新たな積分範囲に属する区分毎の積分値の総和を求める場合を想定している。
【００３８】
最初に、積分値算出部１０において、区間Ｓ０〜Ｓ４の各々について電力の積分値Ｔ０〜Ｔ４を求め、積分値算出部１０内のメモリ１０ｍに蓄える（ＳＴ１１）。この処理が終わると、終わったことを帯域判定部１３に知らせる。
これと並行して、遅延波検出部１１で閾値ＴＨｐ以上の遅延波を検出し、そのピークの遅延時間τａが属する区間を示す情報（区間の番号）を帯域判定部１３に知らせる。
帯域判定部１３では、遅延波検出部１１で閾値ＴＨｐ以上の遅延波が検出され、その遅延時間τａが属する区間を示す情報（区間の番号）が伝えられたときは（ＳＴ１２）、区間の番号をパラメータｐの値とし（ＳＴ１３）、層でなければ０をパラメータｐの値とし（ＳＴ１４）、積分値算出部１０に知らせる。
【００３９】
なお、所定の閾値以上の遅延波の検出は行わず、０に最も近い分割点τ０を最初の境界候補時間とする場合には、ステップＳＴ１２，ＳＴ１３を省略し、ステップＳＴ１１の次にステップＳＴ１４に進むこととすれば良い。
【００４０】
積分値算出部１０では、区間Ｓ０からＳｐまでの積分値Ｔ０＝Ｔｐの総和
【数１】
0005473546.tif 000002
を求め、同時に区間Ｓｐ＋１からＳ４までの積分値Ｔｐ＋１〜Ｔ４の総和
【数２】
0005473546.tif 000003
を求めて出力する（ＳＴ１５）。
【００４１】
積分値比較部１２では、積分値算出部１０から出力された積分値Ａｐ、Ｂｐの比Ｂｐ／Ａｐが所定値ＴＨｂａよりも大きいか、即ち
Ｂｐ／Ａｐ＞ＴＨｂａ
が満たされるかどうか判定し（ＳＴ１６）、判定結果を帯域判定部１３に知らせる。
【００４２】
所定値ＴＨｂａよりも大きいという判定結果であれば、帯域判定部１３では、ｐを１だけ増加し（ＳＴ１７）、増加後のｐの値を積分値算出部１０に知らせる。以下、ステップＳＴ１５の処理が再び行われる。
【００４３】
ステップＳＴ１６で所定値ＴＨｂａ以下であると判定されたら、ステップＳＴ１８に進み、帯域判定部１３では、区間Ｓ０〜Ｓｐに対応する帯域を通過帯域と決定し、決定された通過帯域を示す信号（通過帯域信号）ＣＰＢを出力する。
【００４４】
以上のように、通過帯域設定部６は、周波数内挿フィルタ部７の通過帯域を、境界時間（τｃ）以下の範囲に対応する帯域を通過帯域と決定するものであり、
該境界時間を、遅延プロファイル推定部５で求められた遅延プロファイルのうちの、
境界時間（τｃ）以下の範囲にわたる到来波の電力積分値Ａに対する、
境界時間（τｃ）を超える範囲にわたる到来波の電力積分値Ｂの比が所定値ＴＨｂａ以下の範囲内であって、かつ可能な限り大きくなるように定める。
ここで「可能な限り」とは、境界候補時間が取り得る値が離散的であるための制約によるものであり、境界候補時間をそのとり得る値の範囲内で変化させた場合に最大となる値であることを意味する。
【００４５】
より具体的には、通過帯域設定部６の帯域判定部１３は、最初に閾値以上の遅延波の遅延時間τａよりも長い時間（図示の例ではτ１）を境界候補時間τｘとし、或いは比較的小さな値、例えば最も０に近い分割点τ０を境界候補時間τｘとし、通過帯域設定部６の積分値算出部１０は、境界候補時間τｘ以下の範囲にわたる到来波の電力積分値を第１の積分値Ａとして求めるとともに、境界候補時間τｘを超える範囲にわたる到来波の電力積分値を第２の積分値Ｂとして求めるとともに、積分値比較部１２は、第１の積分値Ａに対する第２の積分値Ｂの比が所定値ＴＨｂａより大きいかどうかの判定を行い、帯域判定部１３は、上記の比（Ｂ／Ａ）が所定値ＴＨｂａより大きいことが判定される度に、境界候補時間τｘを増加させ、積分値算出部１０に増加された境界候補時間τｘで新たな第１の積分値Ａ及び新たな第２の積分値Ｂを算出させ、積分値比較部１２に前記判定を行なわせる処理を行なわせ、前記比（Ｂ／Ａ）が前記所定値ＴＨｂａ以下となったときに、そのときの境界候補時間τｘを境界時間τｃとし、該境界時間τｃまでの範囲に対応する帯域を通過帯域として決定し、決定された通過帯域を示す信号（通過帯域信号）ＣＰＢを出力する。
【００４６】
帯域判定部１３が出力した通過帯域指定信号ＣＰＢをもとに、周波数内挿フィルタ部７内にある係数テーブル２１は帯域指定信号ＣＰＢで指定される通過帯域を実現するためのタップ係数を選択してＬＰＦ１０へ出力する。
以上の処理によって本来必要な遅延波成分を残し、なおかつ不要な雑音成分を除去できる適正なフィルタリングが実現される。
【００４７】
なお、上記の例では、境界候補時間以下の範囲にわたる到来波の電力積分値を第１の積分値Ａとし、境界候補時間を超える範囲にわたる到来波の電力積分値を第２の積分値Ｂとして、境界候補時間を次第に長くしながら、第１の積分値Ａに対する第２の積分値Ｂの比ＲＴｂａが所定値ＴＨｂａ以下となる点を探し出すこととしているが、区間０〜τ４までの範囲（全解析対象範囲）にわたる電力積分値を第１の積分値Ｃとして求め、境界候補時間を超える範囲にわたる電力積分値を第２の積分値Ｂとして求め、上記第１の積分値Ｃを固定したままで、境界候補時間を次第に長くしながら（第２の積分値Ｂを求めるための範囲を狭めながら）、第１の積分値Ｃに対する第２の積分値Ｂの比、即ち積分比ＲＴｂｃ＝Ｂ／Ｃを算出し、積分比ＲＴｂｃが所定値ＴＨｂｃ以下となる点（境界候補時間）を探し出し、このようにして探し出された境界候補時間を境界時間として採用し、該境界時間以下の範囲に対応する帯域を通過帯域と決定するように構成しても良く、そのように構成した場合にも、上記の例と同様に本来必要な遅延波成分を残し、なおかつ不要な雑音成分を除去できる適正なフィルタリングが実現される。
【００４８】
上記の例では、境界候補時間を次第に増加させながら、積分値Ａに対する積分値Ｂの比ＲＴｂａが所定値以下であって、かつ可能な限り大きいという条件が満たされる状態を探し出すこととしているが、逆に境界候補時間を次第に減少させながら、積分値Ａに対する積分値Ｂの比ＲＴｂａが所定値以下であって、かつ可能な限り大きいという条件が満たされる状態を探し出すこととしても良い。この場合、通過帯域設定部６の帯域判定部１３は、最初に境界候補時間τｘを比較的大きな値、例えば最も上限に近い分割点τ３と設定し、境界候補時間τｘ以下の範囲の積分値Ａに対する、境界候補時間τｘを超える範囲の積分値Ｂの比が所定値ＴＨｂａ以下であるかどうかの判定を行い、比Ｂ／Ａが所定値ＴＨｂａ以下であることが判定される度に、境界候補時間τｘを減少させ、新たな積分値Ａに対する新たな積分値Ｂの比Ｂ／Ａ所定値ＴＨｂａよりも大きくなったときに、直前に減少させる前の境界候補時間までの範囲に対応する帯域を通過帯域として決定し、決定された通過帯域を示す信号（通過帯域信号）ＣＰＢを出力する。
【００４９】
同様に、区間０〜τ４までの範囲（全解析対象範囲）積分値Ｃを求め、境界候補時間τｘを次第に短くしながら、境界候補時間τｘを超える範囲の積分値Ｂの、積分値Ｃに対する比Ｂ／Ｃが所定値ＴＨｂｃ以下であって、かつ可能な限り大きいという条件が満たされる状態を探し出すこととしても良い。
【００５０】
さらにまた、２つの積分値Ａ、Ｂの比Ｂ／Ａを所定値ＴＨｂａと比較することは、その逆数である比Ａ／Ｂを所定値ＴＨａｂ（＝１／ＴＨｂａ）と比較することと等価であり、このような考慮に基づく変形したものも本発明の範囲に含まれる。積分値Ｂ、Ｃの比についても同様である。
【００５１】
また、本実施の形態１では遅延プロファイル推定部５で推定された遅延プロファイルをそのまま用いて積分値算出部１０で積分値を算出しているが、遅延プロファイル推定部５が、予め決められた回数推定を行った結果を平均化し、平均化された遅延プロファイルを出力し、積分値算出部１０が、遅延プロファイル推定部５から出力される平均化された遅延プロファイルをもとに遅延時間方向の積分値を算出することとしても良く、こうすることで遅延プロファイルの推定結果に含まれる不要な雑音成分を予め抑圧することができ、精度良く通過帯域を判定することができる。
【００５２】
実施の形態２．
実施の形態１は、ＬＰＦを備えた周波数内挿フィルタ部７を用いているが、実施の形態１の構成に代えて、本実施の形態２では、周波数内挿フィルタ部７として、ＬＰＦとＢＰＦ（バンドパスフィルタ）を組み合わせたものを用いる。以下、本実施の形態を、図８〜図１２を用いて説明する。
【００５３】
本実施の形態２のＯＦＤＭ復調装置の全体的構成は図１に示す通りであるが、伝送路推定部１０６の構成が異なる。図８は、本実施の形態における伝送路推定部１０６の構成例を示すブロック図である。図８において符号１から５で示す回路は本実施の形態１と同様であるため説明を省く。
【００５４】
通過帯域設定部６は、図２に示すものとは異なり、積分値算出部４０、抽出加算部４１、積分値比較部４２、及び帯域判定部４３を備える。また、図２の周波数内挿フィルタ部７の代わりに、周波数内挿フィルタ部８が設けられている。
【００５５】
図９は、周波数内挿フィルタ部８の構成を示す図である。図示の周波数内挿フィルタ部８は、ＬＰＦ３０と、ＬＰＦ３０のタップ係数をテーブルとして複数用意したＬＰＦ用係数テーブル３１と、ＢＰＦ３２と、ＢＰＦ３２のタップ係数をテーブルとして複数用意したＢＰＦ用係数テーブル３３と、ＬＰＦ３０の結果とＢＰＦ３２の結果を加算する加算器３４とを有する。
【００５６】
遅延プロファイル推定部５による推定により、図１０のような遅延プロファイルが得られたものとする。
図１０で、区間Ｓ０〜Ｓ４は、実施の形態１について述べたのと同様に、到来波が現われ得る範囲（解析対象範囲）を分割することにより形成されたものであり、互いに連続している。
【００５７】
積分値算出部４０では、上記の区間Ｓ０、Ｓ１、Ｓ２、Ｓ３、Ｓ４のそれぞれの、到来波の電力積分値Ｔ０、Ｔ１、Ｔ２、Ｔ３、Ｔ４を算出し、内部のメモリ４０ｍに記憶する。
【００５８】
抽出加算部４１は、上記複数の区間Ｓ０〜Ｓ４を、電力積分値の比較的小さいものから成る第１の組Ｇｄと、電力積分値の比較的大きいものから成る第２の組Ｇｅに分割し、第１の組Ｇｄに属する区間の電力積分値の合計を第１の総和Ｄとして求めるとともに、第２の組Ｇｅに属する区間の電力積分値の合計を第２の総和Ｅとして求める。上記の分割は、第１の組Ｇｄに属する区間の電力積分値の最大のものが、第２の組Ｇｅに属する区間の電力積分値Ｇｅの最小のものよりも小さくなるように行われる。また、上記第１の総和Ｄの第２の総和Ｅに対する比が、所定値ＴＨｄｅ以下の範囲内であって、かつ可能な限り大きくなるように分割が行われる。上記第１の総和Ｄの第２の総和Ｅに対する比Ｄ／Ｅが、所定値以下の範囲内かどうかの判定は、積分値比較部４２で行われる。
【００５９】
「上記第１の総和Ｄの第２の総和Ｅに対する比Ｄ／Ｅが、所定値ＴＨｄｅ以下の範囲内であって、かつ可能な限り大きい」という条件を満たす状態に到達する過程では、
第１の組Ｇｄに属する区間を次第に増加させ（これに伴い第２の組Ｇｅに属する区間を次第に減少させ）、或いは第２の組Ｇｅに属する区間を次第に増加させ（これに伴い第１の組Ｇｄに属する区間を次第に減少させ）、第１の総和Ｄ及び第２の総和Ｅの算出並びに上記の所定値ＴＨｄｅとの比較が繰り返される。
【００６０】
上記の「上記第１の総和Ｄの第２の総和Ｅに対する比Ｄ／Ｅが、所定値ＴＨｄｅ以下の範囲内であって、かつ可能な限り大きい」という条件が満たされる状態となったときに、そのとき、第２の組Ｇｅに属する区間の集合に対応する帯域を周波数内挿フィルタ部８の通過帯域として決定し、決定された通過帯域を指定する信号（帯域指定信号）ＣＰＢを周波数内挿フィルタ部８に供給する。上記の処理における、総和Ｄ、Ｅの算出、及び所定値ＴＨｄｅとの比較のための制御、並びに帯域指定信号ＣＰＢの出力などは、帯域判定部４３により行われる。
【００６１】
以下、最初に上記の第１の組Ｇｄに属する区間を次第に増やしていく場合について、詳しく説明する。
【００６２】
積分値算出部４０が、区間Ｓ０〜Ｓ４の電力積分値Ｔ０〜Ｔ４を求め、メモリ４０ｍに記憶したら、抽出加算部４１は、これらの積分値の中で一番小さな値を第１の組Ｇｄに属する区間の積分値として抽出し、それ以外の積分値を第２の組Ｇｅに属する区間の積分値として抽出し、それぞれの組の積分値の加算を行なう。図１０に示す例で、仮に区間Ｓ１が最小の積分値を有すると判断された場合、抽出加算部４１で区間Ｓ１の積分値を第１の組Ｇｄに属する区間の積分値の総和（第１の総和）Ｄとして求めるとともに、区間Ｓ０、Ｓ２、Ｓ３、Ｓ４の積分値の総和を第２の組Ｇｅに属する区間の積分値の総和（第２の総和）Ｅとして求める。そして、第１の総和Ｄの第２の総和Ｅに対する比（積分比）
ＲＴｄｅ＝Ｄ／Ｅ      （４）
を算出する。
【００６３】
算出した積分比ＲＴｄｅが所定値ＴＨｄｅ以下である場合、区間Ｓ１は周波数内挿フィルタ部８のフィルタによって除去可能な区間であると帯域判定部４３が判断する。そして、区間Ｓ１の積分値の次に最小となる積分値を持つ区間を第２の組Ｇｅから第１の組Ｇｄに移すよう抽出加算部４１に指示する。
【００６４】
抽出加算部４１は第２の組Ｇｅに属する４つの区間のなかで積分値が最小となる区間を検出する。図１０の例において、区間Ｓ４の積分値が第２の組Ｇｅに属する４つの区間のなかで最小であると判断した場合、区間Ｓ４を第２の組Ｇｅから第１の組Ｇｄに移し、第１の組Ｇｄに属する区間Ｓ１及びＳ４の積分値の総和（第１の総和）Ｄと、第２の組Ｇｅに属する区間Ｓ０、Ｓ２、及びＳ３の積分値の総和（第２の総和）Ｅを算出し両者の比（積分比）ＲＴｄｅ＝Ｄ／Ｅを算出する。算出した積分比ＲＴｄｅが所定値ＴＨｄｅ以下である場合、区間Ｓ４も同様にフィルタによって除去可能な区間であると帯域判定部４３が判断する。そして、区間Ｓ４の積分値の次に最小となる区間を第２の組Ｇｅから第１の組Ｇｄに移すよう、帯域判定部４３は抽出加算部４１に指示する。
【００６５】
抽出加算部４１は第２の組Ｇｅに属する３つの区間のなかで積分値が最小となる区間を検出する。図１０の例において、区間Ｓ３の積分値が第２の組Ｇｅに属する３つの区間のなかで最小であると判断された場合、区間Ｓ３を第２の組Ｇｅから第１の組Ｇｄに移し、第１の組Ｇｄに属する区間Ｓ１、Ｓ３、及びＳ４の積分値の総和（第１の総和）Ｄと、第２の組Ｇｅに属する２つの区間Ｓ０及びＳ２の総和（第２の総和）Ｅを算出し両者の比（積分比）ＲＴｄｅ＝Ｄ／Ｅを算出する。算出した積分比ＲＴｄｅが所定値ＴＨｄｅよりも大きい場合、区間Ｓ３はフィルタによって除去すべきでないものと帯域判定部４３が判断し、区間Ｓ３を第２の組Ｇｅに戻す。
【００６６】
そして、帯域判定部４３は、以上の判断結果に基づき、区間Ｓ１及びＳ４以外の区間Ｓ０、Ｓ２、及びＳ３（第２の組Ｇｅに属する区間）の集合に対応する帯域を通過帯域とするよう指示する信号（帯域指定信号）ＣＰＢを周波数内挿フィルタ部８に供給する。
【００６７】
以上の動作をより一般化した形で図１１のフローチャートを用いて説明する。
最初に、積分値算出部４０において、区間Ｓ０〜Ｓ４の各々について電力の積分値Ｔ０〜Ｔ４を求め、積分値算出部４０内のメモリ４０ｍに蓄える（ＳＴ２１）。
次に積分値算出部４０において、区間Ｓ０〜Ｓ４の積分値Ｔ０〜Ｔ４を値の小さい順に並べ、小さい順にＵｑ（ｑ＝０〜４）の符号を付ける（ＳＴ２２）。
【００６８】
この処理が終わると、終わったことを帯域判定部４３に知らせる。帯域判定部４３では、パラメータｒを０に設定して、抽出加算部４１に知らせる（ＳＴ２３）。
【００６９】
抽出加算部４１では、積分値Ｕ０〜Ｕｒの総和
【数３】
0005473546.tif 000004
を求め、同時に積分値Ｕｒ＋１〜Ｕ４の総和
【数４】
0005473546.tif 000005
を求めて出力する（ＳＴ２４）。
【００７０】
積分値比較部４２では、抽出加算部４１から出力された積分値Ｄｒ、Ｅｒの比Ｄｒ／Ｅｒが所定値ＴＨｄｅ以下であるか、即ち
Ｄｒ／Ｅｒ≦ＴＨｄｅ      （５）
が満たされるかどうか判定し（ＳＴ２５）、判定結果を帯域判定部４３に知らせる。
所定値ＴＨｄｅ以下であるという判定結果であれば、帯域判定部４３では、ｒを１だけ増加し（ＳＴ２６）、増加後のｒの値を抽出加算部４１に知らせる。以下、ステップＳＴ２４の処理が再び行われる。
【００７１】
ステップＳＴ２５で所定値ＴＨｄｅよりも大きいと判定されたら、ステップＳＴ２７に進み、帯域判定部４３では、積分値Ｕ０〜Ｕｒ−１を持つ区間に対応する帯域を通過帯域と決定し、そのことを示す信号（帯域指定信号）ＣＰＢを出力する。
【００７２】
以上のように、上記の例では、通過帯域設定部６は、複数の区間Ｓ０〜Ｓ４のうちで電力積分値の最も小さいものを第１の組Ｇｄに属するものとし、それ以外の区間を第２の組Ｇｅに属するものとし、積分比ＲＴｄｅ＝Ｄ／Ｅが所定値ＴＨｄｅ以下であるとの判断される度に、第２の組Ｇｅの区間のうちの電力積分値が最小のものを第１の組Ｇｄに移す処理を、積分比ＲＴｄｅが所定値ＴＨｄｅよりも大きいという判断がされるまで繰り返し、積分比ＲＴｄｅが所定値ＴＨｄｅよりも大きいという判断がされたときに、直前に第２の組Ｇｅから第１の組Ｇｄに移した区間（最後に第２の組Ｇｅから第１の組Ｇｄに移した区間）を第２の組Ｇｅに戻し、戻した状態において第２の組Ｇｅに属する区間の集合に対応する帯域を通過帯域として決定し、決定された通過帯域を示す信号（通過帯域信号）ＣＰＢを出力する。
【００７３】
帯域判定部４３が出力する帯域指定信号ＣＰＢは、周波数内挿フィルタ部８が通過させるべき周波数帯域を指定する。本実施の形態２では本実施の形態１と異なり通過帯域が２つ以上の群に分散する場合を考慮したものであり、周波数内挿フィルタ部８では、遅延時間が０に近い側に対してＬＰＦを適用し、それ以外の区間に対してＢＰＦを適用する。図１０の例では、０〜τ０の範囲の到来波を通過させるためにＬＰＦ３０を用い、τ１〜τ３の範囲の到来波を通過させるためにＢＰＦ３２を用いる。
【００７４】
帯域判定部４３が出力する帯域指定信号ＣＰＢは、ＬＰＦ３０に所望の通過帯域を持たせるためのタップ係数を選択するための信号（タップ係数選択信号）ＣＰＢａと、ＢＰＦ３２に所望の通過帯域を持たせるためのタップ係数を選択するための信号（タップ係数選択信号）ＣＰＢｂとを含む。
【００７５】
周波数内挿フィルタ部８のＬＰＦ用係数テーブル３１は選択信号ＣＰＢａに応じてタップ係数を選択してＬＰＦ３０に供給し、ＢＰＦ用係数テーブル３３は選択信号ＣＰＢａに応じてタップ係数を選択してＢＰＦ３２に供給する。
ＬＰＦ３０に供給されるタップ係数は、ＬＰＦ３０を０〜τ０の区間（選択された区間）を通過帯域とするフィルタとして作用させるためのタップ係数であり、ＢＰＦ３２に供給されるタップ係数は、ＢＰＦ３２をτ１〜τ３の区間を通過帯域とするフィルタとして作用させるためのタップ係数である。
これによって本来必要な遅延波成分を残し、なおかつ不要な雑音成分を除去できる適正なフィルタリングが実現される。
【００７６】
なお、上記のように、周波数内挿フィルタ部８が１個のＬＰＦと１個のＢＰＦから成る場合には、第２の組Ｇｅに属する区間は、互いに連続した区間から成る２つ以下の群で構成されている必要がある。例えば、第２の組Ｇｅに属する区間が３つであって互いに連続せず、３つの群に分かれる場合（例えば、区間Ｓ０、Ｓ２、Ｓ４が第２の組Ｇｅに属することとなった場合）、第２の組Ｇｅに属する区間の間に位置し、第１の組Ｇｄに属する区間を、第２の組Ｇｅに移し（例えば、区間Ｓ３を第２の組Ｇｅに移し、或いは区間Ｓ１を第２の組Ｇｅに移し）、これにより、連続する区間からなる群の数が２つとなるようにする。このような処理も帯域判定部４３が行う。
【００７７】
さらにまた、図１０に示すように、所定の閾値ＴＨｐ以上の遅延波が検出された場合には、積分値の大きさの順とは別に、遅延波の遅延時間τａを含む区間を優先的に第２の群に入れ、対応する帯域が通過帯域（の一部）となるようにすることとしても良い。
【００７８】
なお、上記の例では、積分値の比較的小さいものから成る第１の組Ｇｄに属する区間の積分値の総和を第１の総和Ｄとし、積分値の比較的大きいものから成る第２の組Ｇｅに属する区間の積分値の総和を第２の総和Ｅとし、第２の組Ｇｅに属する区間を第１の組Ｇｄに移しながら、第１の総和Ｄの第２の総和Ｅに対する比ＲＴｄｅが所定値ＴＨｄｅよりも大きくなる状態を探し出すこととしているが、区間０〜τ４までの範囲（解析対象範囲）にわたる電力積分値、即ち区間Ｓ０〜Ｓ４の積分値の総和を第２の総和Ｃとして求め、第２の総和Ｃを固定したままで、第１の組Ｇｄに属する区間を増やしながら、第１の総和Ｄを更新していくことにより、第１の総和Ｄの第２の総和Ｃに対する比が所定値ＴＨｄｃよりも大きくなる状態を探し出し、そのような状態になる直前に、第１の組Ｇｄに追加した区間（第１の組Ｇｄに最後に追加した区間）を第１の組Ｇｄから除き、これにより、積分比ＲＴｄｃが所定値ＴＨｄｃ以下であると言う条件が満たされ、かつ第１の組Ｇｄに最多の区間が属する状態に到達させ、その状態において、第１の組Ｇｄに属する区間以外の区間に対応する帯域を通過帯域と決定することとしても良く、そのようにしても、上記の例と同様に本来必要な遅延波成分を残し、なおかつ不要な雑音成分を除去できる適正なフィルタリングが実現される。
【００７９】
図１１を参照して説明した例では、区間を電力積分値が小さい順に抽出し、第１の組Ｇｄに属する区間を次第に増やしているが、すでに述べたように、電力積分値が大きい順に区間を抽出し、第２の組Ｇｅに属する区間を次第に増やすこととしても良い。以下、この場合の処理を説明する。
【００８０】
積分値算出部４０が、区間Ｓ０〜Ｓ４の電力積分値Ｔ０〜Ｔ４を求め、メモリ４０ｍに記憶したら、抽出加算部４１は、これらの積分値の中で一番大きな値を第２の組Ｇｅに属する区間の積分値として抽出し、それ以外の積分値を第１の組Ｇｄに属する区間の積分値として抽出し、それぞれの組の積分値の加算を行なう。図１０に示す例で、仮に区間Ｓ０が最大の積分値を有すると判断された場合、抽出加算部４１で区間Ｓ０の積分値を第２の組Ｇｅに属する区間の積分値の総和（第２の総和）Ｅとして求めるとともに、区間Ｓ１、Ｓ２、Ｓ３、Ｓ４の積分値の総和を第１の組Ｇｄに属する区間の積分値の総和（第１の総和）Ｄとして求める。そして、第１の総和Ｄの、第２の総和Ｅに対する比（積分比）
ＲＴｄｅ＝Ｄ／Ｅ
を算出する。
【００８１】
算出した積分比ＲＴｄｅが所定値ＴＨｄｅよりも大きい場合、帯域判定部４３は、区間Ｓ０の積分値の次に最大となる積分値を持つ区間を第１の組Ｇｄから第２の組Ｇｅに移すよう抽出加算部４１に指示する。
【００８２】
抽出加算部４１は第１の組Ｇｄに残っている４つの区間のなかで積分値が最大となる区間を検出する。図１０の例において、区間Ｓ２の積分値が第１の組Ｇｄに残っている区間のなかで最大であると判断した場合、区間Ｓ２を第１の組Ｇｄから第２の組Ｇｅに移し、第１の組Ｇｄに属している区間Ｓ１、Ｓ３及びＳ４の積分値の総和（第１の総和）Ｄと、第２の組Ｇｅに属している区間Ｓ０、及びＳ２の積分値の総和（第２の総和）Ｅを算出し両者の比（積分比）ＲＴｄｅ＝Ｄ／Ｅを算出する。算出した積分比ＲＴｄｅが所定値ＴＨｄｅよりも大きい場合、帯域判定部４３は、第１の組Ｇｄに残っている区間の中で積分値が最大の区間を第１の組Ｇｄから第２の組Ｇｅに移すよう、帯域判定部４３は抽出加算部４１に指示する。
【００８３】
抽出加算部４１は第１の組Ｇｄに残っている３つの区間のなかで積分値が最大となる区間を検出する。図１０の例において、区間Ｓ３の積分値が第１の組Ｇｄに残っている区間のなかで最大であると判断された場合、区間Ｓ３を第１の組Ｇｄから第２の組Ｇｅに移し、第１の組Ｇｄに属している区間Ｓ１、及びＳ４の積分値の総和（第１の総和）Ｄと、第２の組Ｇｅに属している２つの区間Ｓ０、Ｓ２、及びＳ３の総和（第２の総和）Ｅを算出し両者の比（積分比）ＲＴｄｅ＝Ｄ／Ｅを算出する。算出した積分比ＲＴｄｅが所定値ＴＨｄｅ以下である場合、帯域判定部４３は、その時点で、第２の組Ｇｅに属している３つの区間Ｓ０、Ｓ２、及びＳ３の集合に対応する帯域を通過帯域とするよう指示する信号（帯域指定信号）ＣＰＢを周波数内挿フィルタ部８に供給する。
【００８４】
以下、上記の動作をより一般化した形で図１２のフローチャートを用いて説明する。
最初に、図１１について説明したのと同様に、積分値算出部４０において、区間Ｓ０〜Ｓ４の各々について電力の積分値Ｔ０〜Ｔ４を求め、積分値算出部４０内のメモリ４０ｍに蓄える（ＳＴ２１）。
次に積分値算出部４０において、区間Ｓ０〜Ｓ４の積分値Ｔ０〜Ｔ４を値の大きい順に並べ、小さい順にＶｑ（ｑ＝０〜４）の符号を付ける（ＳＴ３２）。
【００８５】
この処理が終わると、終わったことを帯域判定部４３に知らせる。帯域判定部４３では、パラメータｒを０に設定して、抽出加算部４１に知らせる（ＳＴ２３）。
【００８６】
抽出加算部４１では、積分値Ｖ０〜Ｖｒの総和
【数５】
0005473546.tif 000006
を求め、同時に積分値Ｖｒ＋１〜Ｖ４の総和
【数６】
0005473546.tif 000007
を求めて出力する（ＳＴ３４）。
【００８７】
積分値比較部４２では、抽出加算部４１から出力された積分値Ｄｒ、Ｅｒの比Ｄｒ／Ｅｒが所定値ＴＨｄｅよりも大きいか、即ち、
Ｄｒ／Ｅｒ＞ＴＨｄｅ
が満たされるかどうか判定し（ＳＴ３５）、判定結果を帯域判定部４３に知らせる。
所定値ＴＨｄｅよりも大きいという判定結果であれば、帯域判定部４３では、ｒを１だけ増加し（ＳＴ２６）、増加後のｒの値を抽出加算部４１に知らせる。以下、ステップＳＴ３４の処理が再び行われる。
【００８８】
ステップＳＴ３５で所定値ＴＨｄｅ以下であると判定されたら、ステップＳＴ３７に進み、帯域判定部４３では、積分値Ｖ０〜Ｖｒを持つ区間に対応する帯域を通過帯域と決定し、そのことを示す信号（帯域指定信号）ＣＰＢを出力する。
【００８９】
以上のように、通過帯域設定部６は、複数の区間Ｓ０〜Ｓ４のうちで前記電力積分値の最も大きいものを第２の組Ｇｅに属するものとし、それ以外の区間を第１の組Ｇｄに属するものとし、積分比ＲＴｄｅ＝Ｄ／Ｅが所定値ＴＨｄｅよりも大きいとの判断される度に、第１の組Ｇｄの区間のうちの電力積分値が最大のものを第２の組Ｇｅに移す処理を、積分比ＲＴｄｅが所定値ＴＨｄｅ以下であるという判断がされるまで繰り返し、積分比ＲＴｄｅが所定値ＴＨｄｅ以下であるという判断がされたときに、第２の組Ｇｅに属する区間の集合に対応する帯域を通過帯域として決定し、決定された通過帯域を示す信号（通過帯域信号）ＣＰＢを出力する。
【００９０】
なおまた、上記の例では、第１の組Ｇｄに属する区間を大きいものから順に、第２の組Ｇｅに移しながら、第１の組Ｇｄに属する区間の積分値の総和（第１の総和）Ｄの、第２の組Ｇｅに属する区間の積分値の総和（第２の総和）Ｅに対する比ＲＴｄｅが所定値ＴＨｄｅ以下となる状態を探し出すこととしているが、区間０〜τ４までの範囲（解析対象範囲）にわたる電力積分値を第１の総和Ｃとして求め、第２の組Ｇｅに属する区間を増やしながら、第２の総和Ｅの第１の総和Ｃに対する比が所定値ＴＨｅｃよりも大きくなる状態を探し出し、これにより、積分比ＲＴｅｃが所定値ＴＨｅｃ以上であると言う条件が満たされ、かつ第２の組Ｇｅに最少の区間が属する状態に到達させ、その状態において、第２の組Ｇｅに属する区間に対応する帯域を通過帯域と決定することとしても良く、そのようにしても、上記の例と同様に本来必要な遅延波成分を残し、なおかつ不要な雑音成分を除去できる適正なフィルタリングが実現される。
【００９１】
さらにまた、２つの積分値Ｄ、Ｅの比Ｄ／Ｅを所定値ＴＨｄｅと比較することは、その逆数である比Ｅ／Ｄを所定値ＴＨｅｄ（＝１／ＴＨｄｅ）と比較することと等価であり、このような考慮に基づく変形したものも本発明の範囲に含まれる。積分値Ｄ、Ｃの比についても同様である。
【００９２】
また、本実施の形態２では遅延プロファイル推定部５で推定された遅延プロファイルをそのまま用いて積分値算出部４０で積分値を算出しているが、遅延プロファイル推定部５が、予め決められた回数推定を行った結果を平均化し、平均化された遅延プロファイルを出力し、積分値算出部４０が、遅延プロファイル推定部５から出力される平均化された遅延プロファイルをもとに遅延時間方向の積分値を算出することとしても良く、こうすることで遅延プロファイルの推定結果に含まれる不要な雑音成分を予め抑圧することができ、精度良く通過帯域を判定することができる。
【００９３】
また、本実施の形態２では周波数内挿フィルタ部８をＬＰＦとＢＰＦをそれぞれ１つずつ構成しているが、区間の数に伴ってＢＰＦを複数用意し、全フィルタ出力結果を加算して伝送路特性を推定しても同様に本来必要な遅延波成分を残し、なおかつ不要な雑音成分を除去できる適正なフィルタリングが実現される。
【符号の説明】
【００９４】
１  パイロット抽出部、  ２  送信パイロット発生部、  ３  複素除算部、  ４  時間内挿フィルタ部、  ５  遅延プロファイル推定部、  ６  帯域設定部、  ７  周波数内挿フィルタ部、  １０  積分値算出部、  １１  遅延波検出部、  １２  積分値比較部、  １３  帯域判定部、  ２０  ＬＰＦ、  ２１  係数テーブル、  ３０  ＬＰＦ、  ３１  ＬＰＦ用係数テーブル、  ３２  ＢＰＦ、  ３３  ＢＰＦ用係数テーブル、  ３４  加算器、  ４０  積分値算出部、  ４１  抽出加算部、  ４２  積分値比較部、  ４３  帯域判定部、  ４４  周波数内挿フィルタ部。
【図１】
0005473546.tif 000008
【図２】
0005473546.tif 000009
【図３】
0005473546.tif 000010
【図４】
0005473546.tif 000011
【図５】
0005473546.tif 000012
【図６】
0005473546.tif 000013
【図７】
0005473546.tif 000014
【図８】
0005473546.tif 000015
【図９】
0005473546.tif 000016
【図１０】
0005473546.tif 000017
【図１１】
0005473546.tif 000018
【図１２】
0005473546.tif 000019